(57)【特許請求の範囲】
【請求項１】
呼吸用部品を支持するための着用可能なベルトであって、
第１の端部と、第２の端部と、前記第１の端部と第２の端部との間の接合部と、を有するメインベルト部分を含み、
前記接合部は、内層と、外層と、前記内層及び前記外層に固定され電動ファン付き呼吸用保護具（ＰＡＰＲ）の部品の対応する形体と嵌合するように構成された第１の堅固な取付要素と、を有し、前記内層、前記外層、及び前記第１の堅固な取付要素がそれぞれ開口部を定め、前記開口部が少なくとも部分的に位置合わせされて前記接合部を貫通して延在する第１の共通開口部を形成する、ベルト。
【発明の詳細な説明】
【技術分野】
【０００１】
本発明は、呼吸用部品を支持するための複合構造を有する腰ベルト、特に呼吸用部品を支持するための堅固な取付要素を有する腰ベルトに関する。
【背景技術】
【０００２】
一般に電動ファン付き呼吸用保護具（ＰＡＰＲ）と呼ばれるファン強制型陽圧呼吸装置及び他の呼吸用部品が、経気道曝露を管理するために、ファーストレスポンダー、軍隊、及び他の緊急対応ユニットにより使用されている。これらの及び他の呼吸用部品もまた、ガス、蒸気、及び粒子状物質に対する曝露を管理するために様々な工業用途において、使用されている。呼吸システムには、濾過空気のための入口を有すると共にユーザーが呼吸できる空気の領域を定める呼吸用マスク、又は他の適切なフード、ヘルメット、若しくはハードトップを含めることができる。そのようなシステムは、呼吸できる空気の領域に絶えず正圧を供給するために使用される。
【０００３】
呼吸システムの部品、特にＰＡＰＲの部品は、呼吸部品ハウジングのスロットに通されたベルトに接続されてきた。ユーザーは、呼吸部品を支持するベルトを自分の腰に装着しており、通常は荷重がベルトの後部にある。呼吸用部品を持ち運ぶことに加えて、ユーザーはまた、フードや呼吸システムの他の部品といった付加的な装置を着用し又は持ち運ぶが、それらもまたベルトに接続され得る。
【０００４】
呼吸システムの部品は、その部品が使用の間に不注意にも分離しないように、通常はベルトに対ししっかりと接続されていなければならない。加えて接続機構は、呼吸用部品のベルトへの及びベルトからの着脱を容易にしなければならない。
【０００５】
呼吸システム及びその部品は、呼吸用部品をベルトに固定するためのあらゆる関連した接続機構を含めたそれらの部品を汚染させる、有害な環境に曝露され得る。汚染された装置を捨てることは高コストであり、したがって呼吸部品は使用した後にその都度汚染を除去できるようにすることができる。
【０００６】
腰に装着されたベルトに接続される呼吸システム部品を含む呼吸システムを提供する、様々なデザインが提唱されてきた。
【０００７】
例えば、米国特許第７，８１９，１２０号（Ｔａｙｌｏｒら）は、ベルト、呼吸用部品、及び呼吸用部品をベルトに取付けるための取付クリップを含む呼吸用部品取付アセンブリを記載している。ベルト及び呼吸用部品は、間隔を開けて配置された少なくとも２つのクリップ開口部をそれぞれ有しており、取付クリップは、中間部分と間隔を開けて配置された２つの自由端とを有している。ベルトと呼吸用部品を一体に固定するために、取付クリップの中間部分は、ベルトの複数のクリップ開口部の両方に受け入れられ、取付クリップの自由端は、第２の呼吸部品のクリップ開口部に受け入れられる。
【発明の概要】
【課題を解決するための手段】
【０００８】
用語
本発明に関して、以下の用語は以下に述べるように定められる。
「及び／又は」は、「及び」、「又は」、そして「及び」と「又は」の組み合わせを意味する。
【０００９】
「隣接して」は、隣接してはいるが必ずしも接触していることを意味しない。
【００１０】
「ＰＡＰＲ」は、電動ファン付き呼吸用保護具を意味する。
【００１１】
「一部」は、より大きなものの一部を意味する。
【００１２】
「一体的に形成され」は、一体的な部品として形成されることを意味する。
【００１３】
「堅固な取付要素」は、呼吸用部品の対応する形体を着脱自在に固定するように構成された堅固な構造を意味する。
【００１４】
「堅固な保持要素」は、ベルトの長手方向軸の回りにおけるベルトの接合部のたわみを防止する剛性構造を意味する。
【００１５】
「ユーザーの垂直軸」は、ユーザーの身長に沿った、ユーザーが直立位置にあるときに重力方向に位置合わせされる軸を意味する。
【００１６】
本発明は、接合面から外側に延在する第１の突起を備えた接合面を有するＰＡＰＲ部品、並びにベルトの長さに沿った長手方向軸を有するＰＡＰＲ部品と、ベルトの一部に固定された堅固な取付要素及び堅固な保持要素を含む接合部と、を有する着用可能なベルト、を含む、呼吸用部品アセンブリを提供する。堅固な取付要素は、ベルトの一部に固定されるとともに、ＰＡＰＲ部品をベルトに着脱自在に固定するために第１の突起を受け入れるように構成され、堅固な保持要素は、ベルトがユーザー上に固定されたときにベルト長手方向軸の回りの接合部のたわみを防止する。第１の突起は、ＰＡＰＲ部品の接合面と一体に形成できるとともに、堅固な取付要素は、堅固な保持要素と別々に形成できる。例示的な一実施形態において、堅固な保持要素は、ベルトの接合部の下側周辺端部に隣接する。ベルトの接合部が内層と外層を更に含み、堅固な取付要素及び堅固な保持要素は内層及び外層に接触している。堅固な取付要素及び堅固な保持要素は、一体的な部品を形成する。接合面は、接合面上に矩形配置で間隔を開けて配置される第２、第３、及び第４の突起を更に含むことができる。例示的な一実施形態において、第１の突起はＴ字状の突起を含む。別の例示的な実施形態において、第１の突起が、接合面から外側方向に延在する第１の部分と、接合面と平行な方向に延在するとともに接合面から間隔を開けて配置された第２の部分と、を含む。例示的な一実施形態においては、ＰＡＰＲ部品は、接合面から外側に延在する保持突起を更に含み、この保持突起は、ベルトの接合部の端部に接触して、ベルトがユーザー上に固定されたときに、ＰＡＰＲ部品のベルトに対する上方への移動を防止する。
【００１７】
本発明は、ベルトの長さに沿った長手方向軸と、接合面から外側に延在する第１の突起を含む接合面と、を有する送気型呼吸保護部品、及び送気型呼吸保護具部品を支持するために着用可能なベルトであって、堅固な取付要素及び堅固な保持要素を含む接合部を有するベルト、を備える、呼吸用部品アセンブリを更に提供する。堅固な取付要素は、ベルトの一部に固定され、送気型呼吸保護具部品をベルトに着脱自在に固定するために第１の突起を受け入れるように構成され、堅固な保持要素は、ベルトの接合部の下側周辺端部に沿って配置され、ベルトがユーザー上に固定されたときにベルトの長手方向軸の回りの接合部のたわみを防止する。
【００１８】
本発明は、フィルタ、ファンを駆動するモータ、及びモータに電気的に接続された電池、接合面から外側に延在する第１の突起を備えた接合面を有するＰＡＰＲ部品と、ＰＡＰＲ部品を支持するために着用可能なベルトであって、ベルトの長さに沿った長手方向軸と、堅固な取付要素及び堅固な保持要素を含む接合部と、を有するベルトと、ユーザーが呼吸できる空気領域を定める面体と、ＰＡＰＲ部品と面体との間の流体接続をもたらすホースと、を備える、呼吸用部品アセンブリを更に提供する。堅固な取付要素は、ベルトの一部に固定され、ＰＡＰＲ部品をベルトに着脱自在に固定するために第１の突起を受け入れるように構成され、堅固な保持要素は、ベルトがユーザー上に固定されたときにベルトの長手方向軸の回りの接合部のたわみを防止する。
【００１９】
本発明は、呼吸用部品を支持するために着用可能なベルトであり、第１の端部と、第２の端部と、第１の端部と第２の端部との間の接合部と、を含む、ベルトを更に提供する。接合部分は、内層と、外層と、内層及び外層に接触する第１の堅固な取付要素と、を含み、ＰＡＰＲ部品の対応する形体と嵌合するように構成される。内層、外層、及び第１の堅固な取付要素はそれぞれ開口部を定め、これらの開口部は少なくとも部分的に位置合わせされて接合部を貫通して延在する第１の共通開口部を形成する。例示的な一実施形態において、堅固な取付要素は、内層及び外層の一部にわたって延在する１つ又は複数のフランジを含み、ＰＡＰＲ部品がベルトに着脱自在に固定されたときに、ＰＡＰＲ部品の対応する形体に接触するように構成された露出表面を含む別の例示的な実施形態において、接合部は、下側周辺端部と、内層と外層の間の堅固な保持要素であって、接合部の下側周辺端部に隣接する下側端部を有する堅固な保持要素と、を含む。別の例示的な実施形態においては、堅固な取付要素と堅固な保持要素が、一体的な部品を形成する。
【００２０】
上記の本発明の課題を解決するための手段は、本発明の開示されるそれぞれの実施形態、又は本発明のすべての実施を説明することを目的としたものではない。以下の図面及び詳細な説明は、例示的な実施形態をより具体的に例証する。
【図面の簡単な説明】
【００２１】
本発明は添付図面を参照して更に説明されるが、その際、同様の構造は、いくつかの図面を通して同様の数字によって参照される。
【図１】ユーザーにより着用される例示的な呼吸用保護装置の説明図である。
【図２】本発明による、腰に取付ける呼吸用部品システムの例示的な一実施形態の分解斜視図である。
【図３】本発明による、図２の破断線３−３に沿って取った例示的なベルト４０の斜視断面図である。
【図４ａ】本発明による、Ｔ字状の突起を有する例示的な呼吸部品の接合面の斜視図である。
【図４ｂ】本発明による、例示的なＴ字状突起の断面図である。
【図４ｃ】本発明による、例示的なＴ字状突起の断面図である。
【図４ｄ】本発明による、例示的なＴ字状突起の断面図である。
【図４ｅ】本発明による、呼吸用部品と中間位置にあるベルトとを有する例示的な呼吸システムの斜視図である。
【図４ｆ】本発明による、着脱自在にベルトに固定された呼吸用部品を有する例示的な呼吸システムの斜視図である。
【図５ａ】は、本発明による、角度付きＬ字状突起を有する例示的な呼吸用部品の接合部の斜視図である。
【図５ｂ】本発明による、中間位置にある呼吸用部品及びベルトを有する例示的な呼吸システムの斜視図である。
【図５ｃ】本発明による、着脱自在にベルトに固定される呼吸用部品を有する例示的な呼吸システムの斜視図である。
【図６ａ】本発明による、例示的な呼吸用部品の接合部の斜視図である。
【図６ｂ】本発明による、中間位置にある呼吸用部品及びベルトを有する例示的な呼吸システムの斜視図である。
【図６ｃ】本発明による、着脱自在にベルトに固定される呼吸用部品を有する例示的な呼吸システムの斜視図である。
【発明を実施するための形態】
【００２２】
図１は、ユーザーによって着用される呼吸用保護システムを示している。この呼吸用保護システムは、呼吸用面体１０、又はヘッドギヤ、及びＰＡＰＲ、エアーフィルタといった呼吸用部品１２、又は空気質モニタといった呼吸システムに用いることができるいくつかの他の部品装置を含む。空気のホース又はチューブ１４は、呼吸用部品１２を呼吸用面体１０に接続して呼吸できる空気をユーザー１６に供給する。呼吸用面体１０、又はヘッドギヤは、呼吸用マスク、フード、ヘルメット、堅固な被り物、又は濾過空気の入口を有すると共にユーザーが呼吸できる空気の領域を定める他の適切な部品とすることができる。呼吸用部品１２は、呼吸にとって危険な物を含む、望ましくない汚染物質を伴う雰囲気中で、ユーザーが着用するように設計されている。図１に示す実施形態では、ＰＡＰＲ  １２が、ハウジング１２ａと、周囲環境からの望ましくない汚染物質を濾過する役目をする１つ若しくは複数のフィルタ１２ｂと、を有し、それにより、ＰＡＰＲを着用するユーザーが、汚染された又は有害領域内で働くことができるようにする。ＰＡＰＲ  １２はまた、ファン１２ｃ、ファンを駆動するモータ１２ｄ、及びモータに電気的に接続された電池１２ｅをハウジング１２ａ内に含むことができる。ＰＡＰＲの１つの例は、「Ａｐｐａｒａｔｕｓ  ａｎｄ  Ｍｅｔｈｏｄ  ｆｏｒ  Ｂｒｅａｔｈｉｎｇ  Ａｐｐａｒａｔｕｓ  Ｃｏｍｐｏｎｅｎｔ  Ｃｏｕｐｌｉｎｇ」という名称の米国特許第６，５７５，１６５号に記載されている。
【００２３】
本発明は、呼吸用部品を支持するための除染可能なベルトを含む、腰に取付ける呼吸用部品システムを提供する。ベルト４０は、汚染領域において、ハンズフリーで使用する様々な呼吸用部品と共に使用できる。ベルト２０及び呼吸用部品１２はそれぞれ、ベルトへの呼吸用部品の迅速かつ確実な取付けを可能にする一方、ベルト４０又は呼吸用部品１２の有効な及び効果的な汚染除去を妨げ得る隠れ面を最小化する、対応する嵌合機能をそれぞれ含む。呼吸用部品１２は、ユーザー１６による持ち運びのためにベルト４０に着脱自在に固定されるとともに、ベルト４０の背後で荷重が支持されるように配置される。例示的な実施形態において、ベルト４０は、ユーザー１６の臀部の周りにベルトを支持するように構成される。ベルト４０は、呼吸用部品１２の堅い端部の圧力からのユーザーの背中への衝撃を和らげる一方、ユーザー１６上の所望の位置に呼吸用部品を支持するための剛性を維持する。呼吸用部品のハウジング１２ａ及びベルト４０は、呼吸用部品のハウジング１２ａ及びベルトを汚染領域内で使用した後に、将来の再利用のためにそれらを除染できるように、除染可能な材料から形成できる。
【００２４】
例示的な実施形態において、ベルト４０は、ベルトの接合部に隣接して配置されて呼吸用部品１２の端部を保護するバンパーウィング４２を含む。これらのバンパーウィングは、以下に更に記載するように、積層材料によってベルトに形成でき、バンパーウィングが圧縮可能であってベルトがウェストサイズの範囲で快適かつ機能的なままであるように、中空又は充分に柔軟なものとすることができるこれらのバンパーウィングは、呼吸用部品がベルトから外れる原因となり得る外部環境の要素に呼吸用部品の端部が引っ掛かることを防止すると共に、呼吸用部品を損傷から保護する。
【００２５】
図２は、本発明による腰に装着する呼吸用部品システム２４の例示的な一実施形態の分解斜視図である。腰に装着する呼吸用部品システム２４は、ベルト４０と、ＰＡＰＲ部品の形態の例示的な呼吸用部品１２と、を含む。呼吸用部品１２は接合面３０を含み、その接合面から１つ又は複数の突起３１が外側に延在している。ベルト４０は、１つ又は複数の堅固な取付要素５３と、１つ又は複数の堅固な保持要素と、を有する接合部を含む。１つ又は複数の堅固な取付要素５３は、１つ又は複数の突起３１を受け入れるように構成されて、呼吸用部品１２をベルト４０に着脱自在に固定する。１つ又は複数の堅固な保持要素は、ベルトがユーザー上に固定されたときに、ベルトの長手方向軸の回りの接合部のたわみを防止する。２０１２年２月１５日に出願されたＩｎｔｅｒｌｏｃｋ  Ｓｙｓｔｅｍ  ｆｏｒ  ａ  Ｒｅｓｐｉｒａｔｏｒ  Ｗａｉｓｔ  Ｂｅｌｔという名称の米国特許出願第１３／３９６，８３９号は、呼吸用部品とベルトアセンブリとの間の接合部について言及しており、また本願明細書に参照することにより引用されるものとする。
【００２６】
図２及び図３は、本発明によるベルト４０の一実施形態を示す。図２は、ベルト４０の斜視図を示す一方、図３は、図２の破断線３−３に沿って取ったベルト４０の断面斜視図である。１つ又は複数の呼吸用部品１２を支持するベルト４０は、ユーザーの背中及び側部の周りに延在するメインベルト部分４５と、ユーザーの前部を横切って延在するストラップ部分６０と、を含む。メインベルト部分４５は、第１の端部４６と、第２の端部４７と、第１の端部と第２の端部との間の接合部５０と、を含む。使用の際には、ベルト４０は、呼吸用部品の重量をユーザーの骨盤の周りに分配して、ユーザーの自由な脚の動きを可能にする。
【００２７】
例示的なベルト４０のストラップ部分６０は、メインベルト部分４５の第１の端部４６に接続された左側部分６１と、メインベルト部分４５の第２の端部４７に接続された右側部分６２と、を含む。各部分６１及び６２の長さを調節可能とし、又は左右の部分６１及び６２のうちの１つの長さの調節を可能として、様々なサイズのユーザーに適応できるようにストラップ部分６０を調整できる。左右の部分６１及び６２の自由端は、例えば、着脱自在なバックル、又は当該技術分野において既知の他の適切なバックルなどの、バックル６５により、互いに選択的に接続される。また、左右の部分６１及び６２を結合するための、当該技術分野において既知の他の手段もまた使用できる。例示的な一実施形態において、ストラップ部分６０の左右の部分６１及び６２の第１の端部６３及び６４は、例えば、縫合、溶着、接着剤、リベット、若しくは当該技術分野において既知の他の適切な手段によってメインベルト部分４５の第１及び第２の端部４６及び４７に固定的に接続され、又は左右の部分６１及び６２は、メインベルト部分４５と一体的に形成できる。あるいは、バックル部分の第１及び第２の端部６３及び６４、メインベルト部分４５の第１及び第２の端部４６及び４７のそれぞれに、スロット、バックル、又は第１及び第２の端部６３及び６４を第１及び第２の端部４６及び４７に取り外し可能に固定するために相互作用する、当該技術分野で既知の他の機能により着脱可能に接続できる。
【００２８】
例示的な一実施形態において、メインベルト部分４５は、使用のためにベルトがユーザーの腰のまわりに配置されたときに、その溝がユーザーの垂直軸と略平行となるように略垂直方向に方向付けられた溝４９を含む。これらの溝は、ユーザーの腰のまわりに固定されたときに、そのベルトが一致する曲線を維持するようなやり方でベルトを撓曲させるように構成されている。これらの溝はまた、空気が流れる経路を提供する。この気流は、ユーザーに涼しさをもたらして、知覚されるベルトの快適さを更に高める。
【００２９】
メインベルト部分４５の接合部５０は、内層５１、外層５２、及び内層５１及び外層５２と接触する第１の堅固な取付要素５３ａを含む。いくつかの実施形態において、第１の堅固な取付要素５３ａは、部分的に又は完全に内層５１と外層５２との間に配置できる。別の実施形態において、第１の堅固な取付要素は、内層５１及び外層５２の開口部内に配置することができ、内層５１又は外層５２のうちの１つ又は両方の一部の上に延在する１つ又は複数のフランジ又はリップ５４ｃを含む。内層５１及び外層５２の一部は、堅固な取付要素５３ａのフランジ又はリップ５４ｃの間に挟持できる。
【００３０】
第１の堅固な取付要素は、呼吸用部品の対応する形体と嵌合するように構成される。内層５１、外層５２、及び堅固な取付要素５３ａはそれぞれ開口部を定め、内層５１、外層５２、及び堅固な取付要素５３ａの開口部は、少なくとも部分的に位置合わせされて接合部５０を貫通して延在する第１の共通開口部５４を形成する。内層５１、外層５２、及び堅固な取付要素５３ａの開口部は、呼吸用部品１２をベルト４０に着脱自在に固定するために、呼吸用部品１２の接合面３０から外側に延在する１つ又は複数の突起３１を第１の共通開口部５４が受け入れることができるように寸法決めされ、構成される。
【００３１】
接合部５０の更なる実施形態が、追加の開口部又は追加の堅固な取付要素を含み得ることを、当該技術分野における当業者は理解するであろう。図２の例示的な実施形態において、内層５１、外層５２、及び第２の堅固な取付要素５３ｂはそれぞれ第２の開口部を定め、第２の開口部はメインベルト部分４５の接合部５０を貫通して延在する第２の共通開口部５５を形成するために少なくとも部分的に位置合わせされる。あるいは、堅固な取付要素５３ａ及び５３ｂがそれぞれ第２の開口部を定め、内層５１、外層５２の開口部と第１及び第２の堅固な取付要素の第２の開口部とが少なくとも部分的に位置合わせされて、接合部５０を貫通して延在する第３及び第４の共通開口部５６及び５７を形成するようにすることができる。別の例示的な実施形態において、堅固な取付要素５３ａ及び５３ｂは、内層５１及び外層５２に接触して配置される単一の一体的な部品とすることができ、１つ、２つ、３つ、４つ、又はより多くの開口部をメインベルト部分４５の接合部５０に定めることができる。
【００３２】
メインベルト部分４５の接合部５０は、内層５１、外層５２、及び内層５１及び外層５２に接触する堅固な取付要素５３を有する。内層５１は、クッション層であり、ユーザーに快適なフィット感を与えるべく選択された材料から作製される内層５１は、エチル酢酸ビニル（ＥＶＡ）から作製できる。他の適切な材料には、他のＥＶＡフォーム、ゴム、ポリ塩化ビニル、ポリウレタン類、及び当該技術分野で既知の他の適切な材料が含まれる。
【００３３】
内層５１は、さもなければ呼吸用部品の堅固な端部又はベルト４０の堅固な部分の結果として生じ得る圧力又は不快感からユーザーを保護するように構成され、圧力が集中するいかなる領域もユーザーの身体に影響を与えないように呼吸用部品の重量を均一に分配することが意図されている。内層５１は、呼吸用部品の突起のいかなる部分も内層５１の露出面を越えて共通開口部５４を完全に貫通して延在しない、十分に大きい厚みｔを有する。更に、内層５１によって定められる開口部は、第１の堅固な取付要素５３ａによって定められる開口部より大きい。このようにして、堅固な取付要素５３は、更に以下に詳述するように、呼吸用部品の突起と相互に作用できる露出した周面５９を含む。緩衝された内層５１だけがユーザーに接触し、呼吸用部品の堅固な突起がユーザーに不快感を生じさせることが防止される。
【００３４】
例示的な一実施形態において、外層は、悪環境における反復使用に耐える十分な耐久性をベルト４０が有するように強さと剛性をベルト４０にもたらすべく選択された材料から作製される、耐摩耗性の層である。外層５２は、中密度ＥＶＡフォーム、ネオプレンゴム、ポリ塩化ビニル、ポリウレタン、ゴム又は当該技術分野において既知の他の適切な材料から作製できる。例示的な一実施形態において、外層５２は、内層５１のそれより大きな密度を有する。
【００３５】
ベルトの１つ又は複数の層は革から作製することができ、リベット、縫合、接着剤、又は当該技術分野において既知の他の適切な手段によって、他の層に結合することができる。革の部品を有するベルトは、金属加工用途といった高レベルの耐久性が要求される用途に特に適したものとなり得る。そのようなベルトには、本明細書に記載する特徴及び利点の全体又は任意の組み合わせがある。
【００３６】
堅固な取付要素５３は、呼吸用部品の突起を確実かつ着脱可能な係合で堅固な取付要素５３により受け入れられ得るように、十分に堅固な材料から作製される。例示的な一実施形態において、堅固な取付要素５３は、高密度ポリエチレンから作製される。他の材料には、当該技術分野において既知の他の適切なプラスチック又は金属材料を含めることができる。例示的な一実施形態において、堅固な取付要素は、当該技術分野において既知のように、射出成形又は打ち抜きによって形成できるとともに、以下において、更に記載するように、引き続いて内層５１及び外層５２に結合される。あるいは、堅固な取付要素は、圧縮成形、移送成形、又は当該技術分野において既知の他の好適な方法によって形成できる。
【００３７】
本発明による例示的なベルト４０の層は、複数のラミネート層を有する複合メインベルト部分を形成するために結合できる。内層５１、外層５２、及び堅固な取付要素５３の主要面は、積層されてベルトアセンブリのメインベルト部分を形成する。例示的な一実施形態において、これらの層は、フレームラミネーションによって結合できる。溶融物の薄い層が各主要面上に現れるまで、材料の各層は加熱される。それから２つの層が互いに押圧され、各層が冷えるにつれて互いに恒久的に融着する。別の例示的な実施形態において、内層及び外層は、フレームラミネーションによって結合することができ、堅固な取付要素は、呼吸用部品をベルトアセンブリに固定するとき又はベルトアセンブリから取り外すときの、堅固な取付要素の分離を防止するために、接着剤又は他の適切な手段によって、内層及び外層のうちの一方又は両方に固定できる。堅固な取付要素は、接着剤、縫合、リベット、止め金、面ファスナ、コネクタ、溶着、積層、又は当該技術分野において既知の他の固定手段で固定できる。ベルトの一部に固定された堅固な取付要素は、呼吸用部品をベルトに固定する前にユーザーが位置決めする必要はなく、呼吸用部品がベルトに固定されていないときにベルトから不注意に取り除かれることはない。他の例示的な実施形態において、内層、外層、及び堅固な取付要素は、適切な接着剤、又は当該技術分野において既知の適切な手段の任意の組み合わせによって結合できる。例えば、接合部５０は、リベット、接着剤、縫合、又は当該技術分野において既知の適切な手段の任意の組み合わせにより結合された革の層を含むことができる。
【００３８】
例示的な一実施形態において、内層５１、外層５２、及び堅固な取付要素５３を形成するために使用する材料は、それらの層を確実に積層できるように選択される。内層５１又は外層５２の堅固な取付要素５３からの分離はベルト４０の有効寿命の間に実質的に防止され、さもなければ層の分離の結果として生じ得る割れ目を洗浄することの困難さが実質的に防止される。例示的な実施形態において、ベルト４０は、より密度が低い内層５１及び外層５２に堅固な取付要素５３を接触させているにもかかわらず高度に除染可能である。
【００３９】
堅固な取付要素５３ａ、５３ｂは、呼吸用部品の接合面から外側に延在する１つ又は複数の突起３１と嵌合する。堅固な取付要素５３は、呼吸用部品をベルト４０に着脱自在に固定するために形付けられ、構成される。図４ａは、その接合面３０から外側に延在するＴ字状の突起３１を有する呼吸用部品１２の接合面３０の斜視図であり、図４ｂは部分断面図である。図４ｂに示すように、突起３１は、接合面３０と実質的に直角をなす方向で外側に延在する第１の部分３１ａと、第１の部分３１ａから接合面と実質的に平行な方向に延在するとともに接合面３０から間隔を開けて配置された第２の部分３１ｂと、を含む。第２の部分３１ｂは、堅固な取付要素と係合するフランジ又はリップを形成する。
【００４０】
例示的な一実施形態において、呼吸用部品の接合面は第２の突起を含み、第３及び第４の突起を更に含むことができる。４つの突起は、例えば、図４ａに示すように矩形配置で接合面上に間隔を開けて配置される。これらの突起はまた、呼吸用部品がベルトアセンブリに着脱自在に固定できるように、ベルトの設計に対応する他の構成で配置できる。
【００４１】
図４ｅ及び図４ｆに示すように、ベルト４０の接合部５０は、大きな上側部分５４ａとスロットの形をした狭い下側部分５４ｂを有する、Ｔ字状の開口部５４を含む。大きな上側部分は、突起３１の第２の部分３１ｂを受け入れるべく寸法決めされ、下側部分５４ｂは、突起３１の第１の部分３１ａを受け入れるスロットの形である。したがって、突起３１は、図４ｅに示すように最初に開口部５４の大きな上側部分５４ａに挿入することができ、引き続いて図４ｆに示す位置へとユーザーの垂直軸に沿ってスライドする。突起３１の接触面３２は、堅固な取付要素５３の露出した周面５９と係合し、呼吸用部品の接合面３０のベルトの接合部から離れる移動を防止する。突起３１の第２の部分３１ｂの厚みｔは、ベルトがユーザー上に配置されたときに、突起がユーザーに不快感を生じさせないように、ベルトの内層５１の厚みｔより小さい。
【００４２】
図４ａに示す例示的な実施形態において、呼吸用部品の接合面３０は１つ又は複数の保持突起を更に含む。保持突起３５は、接合面３０から外側に延在する突起を含む。保持突起３５は、接合部５０の端部、例えば、下側の周辺端部５０ａに接触して、ベルトがユーザー上に固定されたときに、ベルトに対するＰＡＰＲ部品の上方への移動を防止し、ベルトがユーザー上に固定されたときに、ＰＡＰＲ部品のベルトからの不注意による分離を防止する。代りの実施形態において、保持突起３５は、同じ機能を達成するために、ベルトによって、定められる開口部の上側縁部又は端部と接触するように配置できる。
【００４３】
例示的な一実施形態において、ベルト４０の接合部５０は、内層５１と外層５２との間に堅固な保持要素５８を含む。この堅固な保持要素は、第１及び第２の対向する主要面を有し、ベルトがユーザー上に固定されたときに、ベルトの長手方向の軸回りにおける接合部のたわみを防止する。下側周辺端部５０ａが保持突起３５に接触すると、堅固な保持要素５８は、ベルトが保持突起３５を越えてスライドせず、ベルトがユーザー上に固定されたときに、ＰＡＰＲ部品がベルトに対し上方にスライドしない充分な剛性をもたらす。図４ｆに示す例示的な実施形態においては、例えば、下側周辺端部５０ａが凹部又は空洞４８を含み、保持突起３５は、その凹部又は空洞４８の近傍で下側周辺端部５０ａに接触する。ベルトがユーザーの腰から取り外された後、ベルトを呼吸用部品１２に対し、例えば、図４ｅに示す位置へと下方に動かすことができるように下側周辺端部は手動で保持突起３５の上に持ち上げることができ、堅固な取付要素によって定められる開口部５４のより大きな上部５４ａを突起３１が通過できるようにすることにより、呼吸用部品はベルトから分離できる。保持突起３５より上方により容易に持ち上げることができるようにベルトの端部の把握を容易にするために、窪み又は凹み３６が呼吸用部品１２の接合面３０に設けられている。
【００４４】
堅固な保持要素５８及び１つ又は複数の堅固な取付要素５３は、単一片に形成することができ、一体的な部品を形成できる。例示的な一実施形態において、堅固な取付要素及び堅固な保持要素の特徴及び利点は、内層５１及び外層５２に接触する単一部品により得られる。
【００４５】
図４ｃ及び図４ｄは、Ｔ字状の突起の代りの例示的な実施形態の断面を示す。図４ｃに示すＴ字状の突起３１は、接合面３０に対し実質的に直角な方向で外側に延在する第１及び第２の部分３１Ｌ及び３１Ｒと、接合面と実質的に平行な方向にかつ接合面３０と間隔を開けて第１及び第２の部分３１Ｌ及び３１Ｒから延在する第３の部分３１ｂと、を含む。第１及び第２の部分３１Ｌ及び３１Ｒの存在は、突起３１の強さ及び剛性を増加させることができ、又は突起３１の製造を容易にすることができる。図４ｄに示すＴ字状突起３１は、接合面３０に対し角度の付いた方向に外側に延在する第１及び第２の部分３１Ｌ及び３１Ｒと、接合面と実質的に平行な方向に及び接合面３０から間隔を開けて、第１及び第２の部分３１Ｌ及び３１Ｒから延在する第３の部分３１ｂと、を含む。Ｔ字状の突起は、突起３１の性能を高め又は製造を容易にする、これらの及び他の変更を含む。
【００４６】
図５ａ〜図５ｃに示す例示的な実施形態において、堅固な取付要素５３は、ユーザーの垂直軸に対して角度の付いたスロット５４の形をした開口部を定めて、垂直軸に対し同じように角度の付いたＬ字状の突起３１を受け入れる。図５ａは、接合面３０から外側に延在する角度付きＬ字状突起３１を有する呼吸用部品１２の接合面３０の斜視図である。突起３１は、接合面と実質的に直角をなす方向で外側に延在する第１の部分３１ａと、接合面３０と実質的に平行な方向で及び接合面３０から間隔を開けて、第１の部分３１ａから延在する第２の部分３１ｂと、を含む。第２の部分３１ｂは、堅固な取付要素と係合するフランジ又はリップを形成する。図５ｂに示すように、ベルト４０の接合部５０は、角度付きスロットの形をした開口部５４を含む。スロット及び突起は、垂直軸に対し実質的に同様に角度が付けられており、スロット５４の長さは突起３１の長さより大きい。
【００４７】
使用の際に、突起３１は、図５ｂに示すように最初にスロットの上部において、スロット５４に挿入することができ、引き続いて図５ｃに示す位置へとユーザーの垂直軸に沿って下方にスライドする。呼吸用部品が下方にスライドすると、突起３１の第２の部分３１ｂがは堅固な取付要素５３の周辺表面５９に接触する。この接触は、図５ｃに示すように、呼吸用部品１２がベルト４０の接合部５０に着脱自在に固定されたときに、ベルト４０の接合部５０に対する呼吸用部品１２の移動を防止する。
【００４８】
図５ａ〜図５ｃに示す例示的な実施形態において、呼吸用部品の接合面３０は、１つ又は複数の保持突起を更に含む。保持突起３５は、接合面３０から外側に延在する突起を含む。保持突起３５は、接合部５０の端部、例えば、下側周辺端部５０ａに接触して、ベルトがユーザー上に固定されたときに、ベルトに対するＰＡＰＲ部品の上方への移動を防止し、ＰＡＰＲ部品のベルトからの不注意による分離を防止する。
【００４９】
接合部５０は、内層５１と外層５２との間に堅固な保持要素５８を含む。この堅固な保持要素は、第１及び第２の対向する主要面を有し、ベルトがユーザー上に固定されたときのベルトの長手方向軸の回りにおける接合部のたわみを防止する。下側周辺端部５０ａが保持突起３５に接触すると、堅固な保持要素は、ベルトがユーザー上に固定されたときに、ベルトが保持突起３５を越えてスライドしないような、かつＰＡＰＲ部品がベルトに対し上方にスライドしないような充分な剛性をもたらす。ベルトがユーザーの腰から取り外された後、呼吸用部品１２に対してベルトを下方に動かすことができるように、下側周辺端部は、保持突起３５の上に手動で持ち上げることができる。突起３１が、周辺表面と係合せず、かつ呼吸用部品をベルト４０から分離すべく突起がスロット５４を通過できるように、図５ｂに示す位置へと突起３１をスロット５４の上部に動かせるようにすることにより、呼吸用部品をベルトから分離できる。
【００５０】
堅固な保持要素５８及び１つ又は複数の堅固な取付要素は、単一片に形成することができ、一体的な部品を形成できる。例示的な一実施形態において、堅固な取付要素５３及び堅固な保持要素５８の特徴及び利点は、内層５１及び外層５２に接触する単一の部品により得られる。
【００５１】
図６ａ〜図６ｃに示す例示的な一実施形態において、堅固な取付要素は、突起３１を受け入れる開口部５４を定める。図６ａは、その接合面３０から外側に延在する突起３１を有する呼吸用部品１２の接合面３０の斜視図である。突起３１は、接合面から外側に延在するとともにユーザーの垂直軸に対して角度が付けられた第１の部分３１ａと、接合部から外側に延在するとともにユーザーの垂直軸に対し実質的に垂直な方向に第１の部分３１ａから延在する第２の部分３１ｂと、を含む。第１の部分３１ａは、第１の部分３１ａが楔形の断面を有するように角度付き表面３１ｃを有する。第２の部分３１ｂは、角度付き端面３１ｄを有する。図６ｂに示すように、ベルト４０の接合部５０は、堅固な取付要素５３によって定められる開口部５４を含む。堅固な取付要素は、段差５４ｂを備える自由端を有するカンチレバー５４ａを含む。カンチレバー５４ａは、例えば、図６ｃに示すように、段差のある端部５４ｂと堅固な取付要素５３の角度付き周辺端部５９との間に突起３１を収容するべく、撓曲できる。
【００５２】
使用の際には、図６ｂに示すように、突起３１は最初にスロット５４の上側部分を通って挿入することができ、引き続いて図６ｃに示す位置へとユーザーの垂直軸に沿って下方にスライドさせる。呼吸用部品１２が下方にスライドするにつれて、堅固な取付要素のカンチレバー５４ａと角度付き周辺端部５９との間にカンチレバー５４ａは、突起３１を収容するべく湾曲する。角度付き周辺端部５９は、角度付き表面３１ｃに接触して、ベルト４０の接合部５０からの呼吸用部品１２の分離を防止する。カンチレバー５４ａの段差がある端部５４ｂの、突起３１の第２の部分３１ｂとの相互作用より、及び角度付き周辺端部５９の、角度付き表面３１ｃとの相互作用により、水平又は垂直方向の移動が防止される。具体的には、段差が突起３１の第２の部分３１ｂに接触して、ベルトがユーザー上に固定されたとき、ベルト４０の接合部５０に対する呼吸用部品の上方への移動を防止する。図６ｃに示すように、呼吸用部品１２がベルト４０の接合部５０に着脱自在に固定されたときの、ベルトの接合部５０に対する呼吸用部品１２の移動を、摩擦接触が防止する。
【００５３】
本願明細書に記載された特徴のいくつかあるいは全てを有するベルト及び呼吸用部品は、高度に除染可能なままでありながら高度に確実な係合をもたらすベルト及び呼吸用部品の特徴的な組み合わせを含む、いくつかの望ましい特徴を呈する。呼吸用部品の接合面から外側に延在する突起が存在すること及びスロット又は不必要な割れ目が存在しないことが呼吸用部品の汚染除去性を高め、結果として容易に洗浄可能な装置となる。同様に、内層と外層に接触して配置された堅固な取付要素を有する積層構造を含むベルトが、スロット又は到達が難しい間隙の必要性をなくし、結果として高度に除染可能で容易に洗浄可能なベルトになる。本発明において、説明したようなベルトと呼吸用部品の設計及び構成は、洗浄が困難な領域を生じさせる可動部品の必要性を実質的になくす。本発明によるベルト及び呼吸用部品は、手動により又は当該技術分野において既知の他の適切な手段により、効率的にかつ効果的に洗浄できる。
【００５４】
本発明によるベルトは、呼吸用部品がベルトアセンブリから不注意に分離しそうになることを実質的に防止しつつ、呼吸用部品をベルトアセンブリに迅速にかつ容易に固定できるようにする。堅固な取付要素の存在は、対応する突起を有する呼吸用部品をベルトアセンブリに容易に固定できるようにし、かつ堅固な保持要素の存在は、呼吸用部品の接合面上の保持突起と共に、呼吸用部品がベルトアセンブリから分離しそうになることを防止する。
【００５５】
これで、本発明について、そのいくつかの実施形態に関連して説明した。上記の詳細な説明及び実施例は、あくまで理解を助ける明確さのために示したものである。詳細な説明及び実施形態から無用の限定はないと理解すべきである。本発明の範囲から逸脱することなく、記載された実施形態において多くの変更を行うことができることが、当業者には明白であろう。したがって、本発明の範囲は、本明細書に記載された厳密な詳細及び構造に限定されるべきではなく、それよりもむしろ、特許請求の範囲の文言によって説明される構造、及びそれらの構造の等価物によって限定される。
【図１】
0006628474.tif 000002
【図２】
0006628474.tif 000003
【図３】
0006628474.tif 000004
【図４ａ】
0006628474.tif 000005
【図４ｂ】
0006628474.tif 000006
【図４ｃ】
0006628474.tif 000007
【図４ｄ】
0006628474.tif 000008
【図４ｅ】
0006628474.tif 000009
【図４ｆ】
0006628474.tif 000010
【図５ａ】
0006628474.tif 000011
【図５ｂ】
0006628474.tif 000012
【図５ｃ】
0006628474.tif 000013
【図６ａ】
0006628474.tif 000014
【図６ｂ】
0006628474.tif 000015
【図６ｃ】
0006628474.tif 000016